(57)【要約】【課題】配線・配管等の設備材の配設、取り替え、増設、補修等を容易に行うことができ、且つ配線・配管等の設備材から仕上げ床面や壁面までの立ち上げ線路、管路を短縮することができ、更に、該設備材からの熱源を効率的に利用することのできるフリーアクセスフロアーを提供するものである。【解決手段】支持部間に跨って架設された台座上の該支持部の位置に、該台座に直交する方向に設備受け部材を延設し、隣接する設備受け部材間に床板を架け渡し、該設備受け部材上に形成された床板間隙を設備材載置空間とし、該空間を密閉するようにして設備カバー部材を床板間隙に取着固定することにより、上記支持部、台座、床板及び設備カバー部材とを連結してなることを特徴とするフリーアクセスフロアー。【選択図】図４
2004019236.tif 000002
【特許請求の範囲】
【請求項１】
支持部間に跨って架設された台座上の該支持部の位置に、該台座に直交する方向に設備受け部材を延設し、隣接する設備受け部材間に床板を架け渡し、該設備受け部材上に形成された床板間隙を設備材載置空間とし、該空間を密閉するようにして設備カバー部材を床板間隙に取着固定することにより、上記支持部、台座、床板及び設備カバー部材とを連結してなることを特徴とするフリーアクセスフロアー。
【請求項２】
支持部を高さ調節機能を有する支持脚と台座を支持する支持部材とより構成したことを特徴とする請求項１に記載のフリーアクセスフロアー。
【請求項３】
支持部を構成する支持脚の頭部を台座に形成した貫通孔より突出させ、該突出部に形成した溝と設備カバー部材の凹部に嵌合した床板固定金具の貫通孔より挿入した固定手段により、上記支持部、台座、床板及び設備カバー部材とを連結してなることを特徴とする請求項１又は２に記載のフリーアクセスフロアー。
【請求項４】
設備受け部材を支持部の支持脚頭部を挟んで左右に延設してなることを特徴とする請求項１ないし３のいずれか１に記載のフリーアクセスフロアー。
【請求項５】
設備カバー部材の凹部に嵌合する床板固定金具の両端部に床板固定用の凸部を形成してなることを特徴とする請求項１ないし４のいずれか１に記載のフリーアクセスフロアー。
【請求項６】
設備受け部材上の空間を暖房又は／及び冷房用の配管スペースとしたことを特徴とする請求項１ないし５のいずれか１に記載のフリーアクセスフロアー。
【０００１】
【発明の詳細な説明】
【発明の属する技術分野】
本発明は、二重床構造における配線・配管等の各種設備材の配設位置を仕上げ床面に近接させ、且つ上方より該各種設備材の配設、補修等を可能としたフリーアクセスフロアーに関するものである。
【０００２】
【従来の技術】
近年、オフィスビル等では、各種ＯＡ用機器類や冷暖房・空調機器類が多用され、当該機器類のために床側に配線・配管等の設備材が多数必要となっている。上記設備材はスラブに埋設するとその自由度がなくなるため床上に這うようにして配設することになるが、それは歩行等の妨げとなり、そのため構造躯体の床面上に更に仕上げ床面を形成し、両者間を上記配線・配管等のための設備空間としている。それにより、配線・配管等の設備材が仕上げ床面上に露出することを防止し、同時に、それら配線・配管の設置、改修、補修等の自由度を改善し、多くのビルで採用されている。
【０００３】
上記フリーアクセスフロアーは、置き敷きパネル型や四隅に高さ調整機能を有する脚部を形成した組立型等があり、構造躯体床面の不陸に合わせることができる構造として仕上げ床面の下方部に空間を確保することのできる二重床の構造である。
【０００４】
上記フリーアクセスフロアーにおける配線・配管等の設備材は、構造躯体床面上に形成される空間の床表面上に直接配設され、室内において各種ＯＡ用機器類や冷暖房・空調機器類が配設される近接位置で該床表面上より立ち上げ、仕上げ床面や壁面に形成したコンセント、吹き出し口或いは各種機器類の端末部分と連結している。
【０００５】
上記のようにフリーアクセスフロアーにおける配線・配管等の設備材の主たる部分は、構造躯体床面上に直接載置するようにして配設されることになるので、仕上げ床面と該配線・配管等の設備材の主たる部分とは隔設された状態となっている。
【０００６】
【発明が解決しようとする課題】
上記従来の構造よりなるフリーアクセスフロアーにおける配線・配管等の設備材は、構造躯体床面上に這わせて配置するため立ち上げのための線路や管路が必要となり、無駄な設備となっていた。また、その設置のための作業は、置き敷きパネル型や組立型のいずれもその脚部が障害となりその配設施工上問題があった。
また、メンテナンスにおいても、仕上げ床板全体を取り外し配線・配管等の取り替え、増設、補修等を行う必要があり、上記同様その作業上問題があった。
【０００７】
更に、配管により床面からの熱源を利用する場合、上記のように主たる配管部分と仕上げ床面との間に空間が生じているので、該配管部分より発散された熱は分散し、熱源を得るには極めて効率の悪い配管となっていた。
【０００８】
本発明は上記問題点を解決したもので、配線・配管等の設備材の配設、取り替え、増設、補修等を容易に行うことができ、且つ配線・配管等の設備材から仕上げ床面や壁面まで立ち上げるための線路、管路を短くすることができ、更に、配管等の場合、熱源を効率的に利用することができることを目的とするものである。
【０００９】
【課題を解決するための手段】
本発明は、上記課題を解決するために成されたもので、支持部間に跨って架設された台座上の該支持部の位置に、該台座に直交する方向に設備受け部材を延設し、隣接する設備受け部材間に床板を架け渡し、該設備受け部材上に形成された床板間隙を設備材載置空間とし、該空間を密閉するようにして設備カバー部材を床板間隙に取着固定することにより、上記支持部、台座、床板及び設備カバー部材とを連結してなるフリーアクセスフロアーを特徴とする。
【００１０】
上記支持部を高さ調節機能を有する支持脚と台座を支持する支持部材とより構成したフリーアクセスフロアーを特徴とする。
また、上記支持部の支持脚頭部を台座に形成した貫通孔より突出させ、該突出部に形成した溝と設備カバー部材の凹部に嵌合した床板固定金具の貫通孔より挿入した固定手段により上記支持部、台座、床板及び設備カバー部材とを連結してなるフリーアクセスフロアーを特徴とする。
【００１１】
上記設備受け部材を支持部の支持脚頭部を挟んで左右に延設してなるフリーアクセスフロアーを特徴とする。
また、上記床板固定金具の両端部に床板固定用の凸部を形成してなるフリーアクセスフロアーを特徴とする。
【００１２】
更に、上記設備受け部材上の空間を暖房又は／及び冷房用の配管スペースとしたフリーアクセスフロアーを特徴とする。
【００１３】
【発明の実施の形態】
本発明のフリーアクセスフロアーを、組立型のフリーアクセスフロアーに沿ってその実施例を以下に説明する。なお、置き敷き型のフリーアクセスフロアーも下記実施例とほぼ同様な構成を採用することができる。
【００１４】
【実施形態１】
図１ないし図４は、構造床面Ａ上に設置した組立型のフリーアクセスフロアーの図を示し、図１はその平面図、図２は図１のＸ方向の断面図、図３は同Ｙ方向の断面図及び図４はその分解斜視図である。
構造床面Ａ上に支持脚１を固定し、螺合固定された椀型形状の支持部材２を介し、直線状に立設された支持脚１間に跨って長尺の台座３を取り付ける。
【００１５】
該長尺台座３上の支持脚１の位置には、該長尺台座３に対し直交方向に薄い設備受け部材４を配設する。本実施例では、支持脚の頭部５を避け、その左右に平行な２列の帯状の設備受け部材４、４を設けている。該設備受け部材４は、使用する床板幅毎に支持脚の頭部が貫通する大きさの貫通孔を形成した幅広の一枚の帯状体として構成することも可能である。
上記設備受け部材４と隣接する他の支持脚１の左右に設けた他の設備受け部材４間に跨るようにして床板６を架設する。
【００１６】
図１のＸ方向となる断面を図２に示しているが、同図及び図４に示すように、上記支持脚１を挟んで左右に設けた該設備受け部材４、４上には、床板６が所定間隙を有して対向配設され、その間隙には該設備受け部材４に沿い、且つ該設備受け部材４、４に跨って床板６と略同一厚さの断面コ字型の設備カバー部材７が配設される。該設備カバー部材７も長尺部材としている。
該設備カバー部材７は、該設備カバー部材７と支持脚１の頭部５とを固定する床板固定金具８により固定されることになる。
【００１７】
支持脚１は、該支持脚１の下部に円盤状の支持台座９を形成し、該支持台座９により構造床面Ａ上に固定する。
該支持脚１は棒状体とされ、その上方部周囲には螺合溝１０が形成され、該螺合溝１０に頭部５を形成する高さ調節部材１１がその内側に形成された溝１２により螺合取着される。該高さ調節部材１１は、その螺合位置を変えることにより構造床面Ａから仕上げ床面までの高さを調節することができる。
【００１８】
また、高さ調節部材１１の外周部には嵌合凹部１３が所定間隔を有して形成されている。該嵌合凹部１３には、支持部材２が嵌着される。該支持部材２はお椀型で、その上縁は上面が平坦な鍔部１４とされ、該鍔部１４の平坦位置に上記長尺台座３を載置することになる。
上記嵌合凹部１３と支持部材２との嵌合位置を変えることにより各種床板厚に対応することが可能となる。
【００１９】
上記長尺台座３には支持脚１の頭部５を挿入するための貫通孔１５が形成され、構造床面Ａ上に立設された支持脚１の頭部５を該貫通孔１５へ挿通して長尺台座３を取り付ける。
【００２０】
該長尺台座３上には、該貫通孔１５の位置を避けるようにしてその左右対称的な位置に設備受け部材４、４を載置固定する。
該設備受け部材４、４は約０、５ｍｍ厚程度の薄い部材で、その両外端部間の幅は隣接する床板６、６相互間に生じる間隙幅より大きく形成し、床板の端部を架設支持することが可能な幅としている。
【００２１】
上記床板６、６相互間の間隙を被覆する設備カバー部材７には、床板固定金具８設置用の凹部１６が形成されている。該凹部１６形成間隔は床板６の幅間隔とされ、その凹部１６の幅は床板固定金具８と略同一幅とされ、その深さは床板固定金具８の厚さと略同一とする。また、該凹部１６の略中央部には貫通孔１７が形成されている。
【００２２】
また、上記床板固定金具８の両端部には、該床板６の隅部に形成された段状切欠部１８の外形と一致した凸部１９を形成し、該床板固定金具８全体の形状は、設備カバー部材７の凹部１６及び床板６隅部の段状切欠部１８の形状と一致するように構成している。
更に、該床板固定金具８の略中央部には、挿入孔２０が形成され、該凹部１６及び段状切欠部１８の段部に該床板固定金具８を嵌合し、該挿入孔２０から床板６、６間の間隙に開口している支持脚１頭部５の螺合溝１０にロックナット２１を挿入螺合することを可能としている。
【００２３】
上記長尺台座３、設備受け部材４、４、床板６、６の側部間及び断面コ字型の設備カバー部材７とにより空間２２が形成されることになる。該空間２２は配線、配管等の各種設備材２３のためのスペースとする。
支持脚１はＹ方向では床板６間隔毎に立設し、Ｘ方向では床板６と床板固定金具８とを合わせた間隔毎に立設され、その頭部５部分は台座３を貫通して空間２２内に突出するが、上記空間２２は設備受け部材４、４に沿って長手方向に連通した空間として形成されることになる。
【００２４】
該設備受け部材４、４上には、設備カバー部材７を断面コ字型となるフランジ部の先端側が当接するようにして載置し、且つ貫通孔１７が上記台座３の貫通孔１５とその上下が一致する位置に取り付ける。従って、支持脚１頭部５の螺着のための溝１２、貫通孔１５、貫通孔１７及び挿入孔２０が上下方向において一致することになり、当該部分へ上方よりロックナット２１を挿入し、溝１２に螺合することにより該支持脚１と連結することが可能となる。同時に、長尺台座３、設備受け部材４、４、床板６、６の隅部及び設備カバー部材７等も固定されることになる。
【００２５】
上記構成よりなる組立式フリーアクセスフロアーを、施工する順序に沿って図４ないし図６より説明する。
図５に示すように、まず、支持脚１の支持台座９を構造躯体床面Ａ上に固定することにより支持脚１を図１のＹ方向にあっては床板６間隔毎に、同Ｘ方向にあっては床板６幅に床板固定金具８幅を加えた間隔毎に立設固定する。
床板６の厚さに応じて該支持脚１に螺合された高さ調節部材１１の嵌合凹部１３を所定位置に選定する。該支持部材２の周辺鍔部１４を、断面コ字型の台座３の内側底面に当接させることにより台座３を支持する。
その際、台座３の貫通孔１５に該支持脚１の頭部５を挿通させて該台座３を支持部材２上に配設する。従って、該頭部５の高さ調節部材１１に形成された溝１２が上方に開口するようにして該貫通孔１５より露出する。
【００２６】
上記台座３上に、該台座３に対し直交方向に長尺の設備受け部材４、４を配設する。該設備受け部材４、４は上記支持脚１の頭部５が台座３より露出する箇所を避け、該頭部５の左右に敷設する。該設備受け部材４、４は、２枚で構成する場合、その左右の両外端部間の幅が隣接する床板６、６の間隙より広くし、床板６が架設される位置が確保できる幅として設置する。
【００２７】
次に、図６に示すように、上記設備受け部材４、４上に、該設備受け部材４、４に跨るようにして床板６、６を載置するが、該床板６は室内の一側壁部側より順次敷き詰めることになる。
室内の隅部に位置する支持脚１の支持部材２上に載置された隣接する台座３間に床板を架け渡して載置する。Ｙ方向では隣接する床板６、６相互は、当接するようにして配設する。他方、Ｘ方向の床板６は、隣接する設備受け部材４、４に跨るようにして架設する。
【００２８】
上記のようにして一列目の床板６を敷設した後、該設備受け部材４、４上に設備カバー部材７をその凹部１６の中心部に形成された貫通孔１７の位置と支持脚１頭部５の溝１２とを上下に一致させ、且つ該設備カバー部材７の一端側部が上記敷設した一列目の床板６の側部に当接するようにして配設する。
その後二列目となる床板６を、上記一列目と同様、台座３間及び設備受け部材４、４に架け渡し、且つ先に配設した設備カバー部材７の他端側部にその側部が当接するようにして敷設する。
【００２９】
上記二列目の床板６を敷設した段階で、該設備カバー部材７の凹部１６の箇所には隣接する床板６の隅部が配設され、該隅部の段状切欠部１８が対向して位置することになる。上記凹部１６及び隣接する段状切欠部１８に跨って床板固定金具８を嵌合し、挿入孔２０よりロックナット２１を該溝１２に挿入締め付けすることにより支持脚１、長尺台座３、設備受け部材４、４、床板６及び設備カバー部材７等を固定することになる。
その後、上記同様、次の２列目の設備カバー部材７を床材６の側部に当接するように配設し、三列目の床板６を敷設することになる。
【００３０】
上記設備受け部材４、４上の空間２２には配線、配管等の各種設備材２３を配設することになる。該設備材２３の配設は、二重床の形成時、或いは床板６の敷設後、該設備カバー部材７を取り外して施工することもできる。
なお、上記実施例では台座３及び設備カバー部材７を長尺部材としたが、各々を支持脚１に跨るか台座３に跨るような長さの短尺部材として選択することもできる。
【００３１】
【実施形態２】
図２は、空間２２内に配設する設備材２３として冷暖房のための配管を設置したフリーアクセスフロアーの実施例を示している。
該配管内に温水若しくは冷水又は暖気若しくは冷気を循環させることにより当該部分より熱発散するが、それらの熱が仕上げ床面直下から放出されることになり、極めて効率の良い設備材配設位置を得ることができる。
【００３２】
また、設備受け部材４、４上、或いは上記空間２２を形成する底面及び側面を被覆するようにしてアルミニウム板等の薄い反射板を敷設することにより、上記配管より発散する熱が反射し、一層効率の良い配管等の設備材配設位置を得ることが可能となる。
【００３３】
上記のような設備材を連続させるためには、図６の点線で示すように、当該配線・配管等を設備受け部材４、４上から仕上げ床板６の裏面側へと折曲し、更に、設備受け部材４、４へと折曲し、蛇行状に配設する。この場合、当該折り曲げ部においては床板６の裏面側へ折り曲げて行うか、室内の側部に形成される別途凹部等を利用して連続形成することができる。
【００３４】
【発明の効果】
上記構成より成る本発明のフリーアクセスフロアーは、当該フリーアクセスフロアーにおける配線・配管等の設備材を床板間の設備カバー部材の直下空間に配設できるように構成しているので、その設置のための作業或いは取り替え、増設、補修等の作業が該設備カバー部材の取着によって行うことができるのでそれらの施工が簡単となった。
【００３５】
また、床面から熱源を得る場合に、床板間に設備材が配設されるので、該設備材と仕上げ床面との間に無駄な空間がなく、該設備材より発散された熱は効率良く直接仕上げ床面に発散され、極めて経済的な設備材設置場所を得ることが可能となった。
【００３６】
更に、配線・配管等の設備材を仕上げ床面上や壁面まで立ち上げる線路や管路を短縮することができ、この面からも経済的なフリーアクセスフロアーを得ることが可能となった。
【図面の簡単な説明】
【図１】本発明のフリーアクセスフロアーの平面図。
【図２】本発明のフリーアクセスフロアーの図１のＸ方向の断面図。
【図３】本発明のフリーアクセスフロアーの図１のＹ方向の断面図。
【図４】本発明のフリーアクセスフロアーの分解斜視図。
【図５】本発明のフリーアクセスフロアーの施工工程を示す斜視図。
【図６】本発明のフリーアクセスフロアーの施工工程を示す斜視図。
【符号の説明】
１・・・支持脚
２・・・支持部材
３・・・台座
４・・・設備受け部材
５・・・頭部
６・・・床板
７・・・設備カバー部材
８・・・床板固定金具
９・・・支持台座
１０・・・螺合溝
１１・・・高さ調節部材
１２・・・溝
１３・・・嵌合凹部
１４・・・鍔部
１５・・・貫通孔
１６・・・凹部
１７・・・貫通孔
１８・・・段状切欠部
１９・・・凸部
２０・・・挿入孔
２１・・・ロックナット
２２・・・空間
２３・・・設備材
【図１】
2004019236.tif 000003
【図２】
2004019236.tif 000004
【図３】
2004019236.tif 000005
【図４】
2004019236.tif 000006
【図５】
2004019236.tif 000007
【図６】
2004019236.tif 000008